(57)【要約】【課題】ユーザが複数の文書を短時間で効率よく確認することができる多層ワーク支援装置を提供する。【解決手段】多層ワーク支援装置１０は、少なくとも３つのディスプレイ１４、表示対象を指定するボタン群が配置された情報アクセス装置１６を有する。ボタン群には情報選択ボタン１８０が含まれ、情報選択ボタン１８０が押下されると、第１の提示方法が選択された場合には、対象は、中央のディスプレイ１４ａに表示されてから、所定の期間経過後、左右いずれかのディスプレイ１４ｂ，１４ｃに表示される。多層ワーク支援装置１０上では、表示プログラム２００が動作している。表示プログラム２００は、ユーザが情報アクセス装置１６を介して行う入力を受け取って、それぞれの表示対象が表示されるディスプレイ１４及び表示タイミングを制御する。【選択図】図５
2007148508.tif 000002
【特許請求の範囲】
【請求項１】
少なくとも３つのディスプレイと、
前記ディスプレイに表示する対象を指定する指定手段と、
前記指定手段が押下された場合、前記ディスプレイに表示対象を順番に表示させる表示制御手段と
を有する多層ワーク支援装置。
【請求項２】
前記少なくとも３つのディスプレイは、中央のディスプレイと左右のディスプレイとを有し、
前記表示制御手段は、中央のディスプレイに表示対象を表示させてから、左右いずれかのディスプレイに当該表示対象を表示させる
請求項１に記載の多層ワーク支援装置。
【請求項３】
前記少なくとも３つのディスプレイは、中央のディスプレイと左右のディスプレイとを有し、
前記表示制御手段は、左右いずれかのディスプレイに表示対象を表示させてから、中央のディスプレイに当該表示対象を表示させる
請求項１に記載の多層ワーク支援装置。
【請求項４】
前記少なくとも３つのディスプレイは、中央のディスプレイと左右のディスプレイとを有し、
前記表示制御手段は、左のディスプレイ、中央のディスプレイ、右のディスプレイの順で表示対象を表示させる
請求項１に記載の多層ワーク支援装置。
【請求項５】
前記表示制御手段は、表示対象をディスプレイに所定時間表示させてから、当該表示対象を当該ディスプレイとは異なるディスプレイに表示させる
請求項１乃至４のいずれかに記載の多層ワーク支援装置。
【請求項６】
生体情報を検出する生体情報検出手段をさらに有し、
前記表示制御手段は、前記生体情報検出手段により検出された生体情報に基づいて、表示対象を表示するタイミングを制御する
請求項１乃至５のいずれかに記載の多層ワーク支援装置。
【請求項７】
ディスプレイに表示する対象を指定する指定手段を介した入力を受け付け、
前記受け付けられた入力により指定された表示対象をディスプレイに順番に表示させる
多層ワーク支援装置の表示方法。
【請求項８】
コンピュータを含む多層ワーク支援装置において、
ディスプレイに表示する対象を指定する指定手段を介した入力を受け付ける受付ステップと、
前記受け付けられた入力により指定された表示対象をディスプレイに順番に表示させる表示制御ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
多数の業務を多層的に行うことを支援する環境が求められている。このような環境においては、ユーザは、多数の業務を処理するために、複数の文書を作成したり確認したりする必要がある。
【０００３】
非特許文献１においては、複数の文書を一括表示し、さらに、ユーザが所望する文書を拡大して表示するシステムが開示されている。
しかしながら、非特許文献１に開示されているシステムは、予め提示された複数の文書の拡大指示を効率化するシステムであり、非特許文献１においては、このシステムの表出方法は開示されていない。
【０００４】
また、非特許文献２においては、遠隔対話場面で、アバターに呼吸状態を可視化し、コミュニケーションを円滑にするシステムが開示されている。
しかしながら、非特許文献２に開示されているシステムは、複数ユーザ間の呼吸状態を示すシステムであって、表示タイミング等が考慮されたシステムではない。また、非特許文献２においては、ユーザ対文書という視点は開示されていない。
【０００５】
【非特許文献１】Fone, D. and Vertegaal, R. ，「EyeWindows: Evaluation of Eye-Controlled Zooming Windows for Focous Selection」，ACM Proc.，CHI2005，p.151-160，［ｏｎｌｉｎｅ」，平成１７年，［平成１７年１０月１３日検索］，インターネット＜ＵＲＬ：http://www.dgp.toronto.edu/papers/dfono_CHI2005.pdf＞
【非特許文献２】渡辺、「コミュニケーションにおける身体性」、ヒューマンインタフェース学会誌、１９９９年、Ｖｏｌ．１，Ｎｏ．２，ｐ．１４−１８
【発明の開示】
【発明が解決しようとする課題】
【０００６】
本発明は、上述した背景からなされたものであり、ユーザが複数の文書を短時間で効率よく確認することができる多層ワーク支援システムを提供することを目的とする。
【課題を解決するための手段】
【０００７】
上記目的を達成するために、本発明に係る多層ワーク支援装置は、少なくとも３つのディスプレイと、前記ディスプレイに表示する対象を指定する指定手段と、前記指定手段が押下された場合、前記ディスプレイに表示対象を順番に表示させる表示制御手段とを有する。
【０００８】
好適には、  前記少なくとも３つのディスプレイは、中央のディスプレイと左右のディスプレイとを有し、前記表示制御手段は、中央のディスプレイに表示対象を表示させてから、左右いずれかのディスプレイに当該表示対象を表示させる。
好適には、  前記少なくとも３つのディスプレイは、中央のディスプレイと左右のディスプレイとを有し、前記表示制御手段は、左右いずれかのディスプレイに表示対象を表示させてから、中央のディスプレイに当該表示対象を表示させる。
好適には、  前記少なくとも３つのディスプレイは、中央のディスプレイと左右のディスプレイとを有し、前記表示制御手段は、左のディスプレイ、中央のディスプレイ、右のディスプレイの順で表示対象を表示させる。
【０００９】
また、好適には、前記表示制御手段は、表示対象をディスプレイに所定時間表示させてから、当該表示対象を当該ディスプレイとは異なるディスプレイに表示させる。
また、好適には、生体情報を検出する生体情報検出手段をさらに有し、前記表示制御手段は、前記生体情報検出手段により検出された生体情報に基づいて、表示対象を表示するタイミングを制御する。
【００１０】
本発明に係る多層ワーク装置の表示方法は、ディスプレイに表示する対象を指定する指定手段を介した入力を受け付け、前記受け付けられた入力により指定された表示対象をディスプレイに順番に表示させる。
【００１１】
本発明に係る多層ワーク支援装置の表示対象指定方法は、入力デバイスとして、例えばハードウェアによるボタン形式、あるいはタッチパネルによるイベント発生エリア指定形式、あるいは温度感知装置によるイベント発生指定形式、視線、および顔面方向検出装置によるイベント発生指定形式等で用意された関連情報指定装置において、前記装置を加圧、接触、過熱、注視するなどして当該イベントを発生する。
【００１２】
さらに、本発明に係るプログラムは、コンピュータを含む多層ワーク支援装置において、ディスプレイに表示する対象を指定する指定手段を介した入力を受け付ける受付ステップと、前記受け付けられた入力により指定された表示対象をディスプレイに順番に表示させる表示制御ステップとを前記多層ワーク支援装置のコンピュータに実行させる。
【発明の効果】
【００１３】
本発明に係る多層ワーク支援装置によれば、ユーザは、複数の文書を短時間で効率よく確認することができる。
【発明を実施するための最良の形態】
【００１４】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００１５】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。ここで、ディスプレイ１４ａは中央のディスプレイに該当し、ディスプレイ１４ｂは左のディスプレイに該当し、ディスプレイ１４ｃは右のディスプレイに該当する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００１６】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
【００１７】
情報アクセス装置１６には、ディスプレイに表示する対象を指定する指定手段として複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００１８】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００１９】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２０】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２１】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。なお、この中継装置１１２は、サーバとして実現してもよく、また、制御装置１００がＰＣなどのネットワークアドレスを有する形で実現される場合には、複数の制御装置１００が、中継装置１１２を介さず、直接ＰｔｏＰ方式で接続されてもよい。
【００２２】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００２３】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００２４】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００２５】
図３は、情報アクセス装置１６に表示されるボタン群を例示する図である。
図３に例示するように、ボタン群は、情報選択ボタン１８０−１〜１８０−ｍと、提示方法選択ボタン１８２−１〜１８２−ｎとから構成され、それぞれのボタンは押下可能な形及びサイズで表示される。情報選択ボタン１８０は、図中の矢印Ｓで示される情報選択エリアに表示され、提示方法選択ボタン１８２は、図中の矢印Ｔで示される提示方法選択エリアに表示される。なお、ボタン群を構成するボタン１８の数は本例に限定されず、ボタン１８の配置も図３に示される配置に限定されない。
【００２６】
情報選択ボタン１８０は、ディスプレイ１４に表示される対象を指定するボタンである。指定される対象には、Ｗｅｂページ、記憶装置１１０に保持されている電子ファイル、ネットワーク２を介して接続された他の電子機器に保持されている電子ファイル等が含まれる。例えば、ボタンＡは、２００５年上期論文関連の電子ファイルをディスプレイ１４に表示させるボタンである。ユーザがボタンＡを押下すると、記憶装置１１０に保持されている２００５年上期論文関連の電子ファイルが、ディスプレイ１４ａ〜１４ｃの少なくともいずれかに表示される。また、ユーザが、Ｗｅｂページへアクセスするボタンを押下すると、指定されたＷｅｂページが、ディスプレイ１４に表示される。例えば、「携帯」と記された情報選択ボタン１８０が押下されると、所定の携帯電話会社のＷｅｂページが表示される。
【００２７】
提示方法選択ボタン１８２は、情報選択ボタン１８０が押下された場合、当該情報選択ボタン１８０により指定される対象を、ディスプレイ１４に所定の順番で表示させる方法を選択するボタンである。提示方法選択ボタン１８２−１が押下された場合には、第１の提示方法が選択される。提示方法選択ボタン１８２−２が押下された場合には、第２の提示方法が選択される。また、提示方法選択ボタン１８２−３が押下された場合には、第３の提示方法が選択される。なお、提示方法の詳細は、後で詳述する。
対象の指定、及び提示方法の選択において、入力形式は、ボタン形式に限定されず、例えばプルダウン形式であってもよく、ユーザによりＵＲＬ等が直接入力される形式であってもよい。
【００２８】
図４は、情報選択ボタン１８０それぞれにより指定される対象を管理する情報選択シートを例示する。
図４に例示されるように、情報選択シートには、提示情報、格納システム、及びファイル名が含まれる。
提示情報名は、当該ボタンが情報アクセス装置１６に表示される際に、表示される文字列である。提示情報名は、ボタン群に含まれる情報選択ボタン１８０を一意に識別する識別子であってもよい。
【００２９】
格納システムは、当該ボタンが押下されたときにディスプレイ１４に表示される対象が格納されている場所を示す。ファイル名は、格納されている対象に関連するファイルの名称である。格納システム及びファイル名は、１つの提示情報名に対して複数設定されてもよい。
【００３０】
本例では、「２００５年上期論文関連」と表示された情報選択ボタン１８０が押下されると、制御装置１００ａに格納されている「多重ワーク研究１」並びに「多重ワーク研究２」、制御装置１００ｂに格納されている「多重ワーク研究３」並びに「関連研究一覧表」、及び制御装置１００ｃに格納されている「関連特許一覧表」並びに「競合情報一覧表」が、ディスプレイ１４ａ〜１４ｃに表示される。
【００３１】
次に、本発明に係る多層ワーク支援装置１０の理解を容易にするために、本発明の概要を説明する。
図５は、第１の提示方法について説明する図である。
図５に示すように、第１の提示方法が選択された場合には、対象は、中央のディスプレイ１４ａに表示されてから、左右いずれかのディスプレイ１４ｂ，１４ｃに表示される。第１の提示方法は、噴水型レビューともいう。
【００３２】
例えば、６つの対象が、１つの情報選択ボタン１８０により指定される場合、この情報選択ボタン１８０が押下されると、まず、第１の対象は、中央のディスプレイ１４ａに全画面表示される。次に、所定の期間経過後、第１の対象は、図中の矢印Ｄ１で示されるように、左のディスプレイ１４ｂに移動して表示される。第１の対象が左のディスプレイ１４ｂに移動されると同時に、第２の対象は、中央のディスプレイ１４ａに全画面表示される。所定の期間経過後、第２の対象は、図中の矢印Ｄ２で示されるように、右のディスプレイ１４ｃに移動して表示される。
【００３３】
同様にして、第３の対象〜第６の対象は、まず、中央のディスプレイ１４ａに全画面表示された後、それぞれ図中のＤ３〜Ｄ６で示されるように、右のディスプレイ１４ｃ及び左のディスプレイ１４ｂのいずれかに移動されて表示される。右のディスプレイ１４ｃ及び左のディスプレイ１４ｂでは、複数の対象が、互いに重ならないように、いわゆるタイリング表示されていく。
【００３４】
図６は、第２の提示方法について説明する図である。
図６に示すように、第２の提示方法が選択された場合には、対象は、左のディスプレイ１４ｂ、中央のディスプレイ１４ａ、右のディスプレイ１４ｃの順に表示される。第２の提示方法は、順送り型レビューともいう。なお、表示される順序は、右のディスプレイ１４ｃ、中央のディスプレイ１４ａ、左のディスプレイ１４ｂの順であってもよい。
【００３５】
複数の対象が１つの情報選択ボタン１８０により指定される場合、この情報選択ボタン１８０が押下されると、まず、第１の対象は、左のディスプレイ１４ｂに全画面表示される。次に、所定の期間経過後、第１の対象は、図中の矢印で示されるように、中央のディスプレイ１４ａに移動して表示される。第１の対象が中央のディスプレイ１４ａに移動されると同時に、第２の対象は、左のディスプレイ１４ｂに全画面表示される。さらに所定の期間経過後、第１の対象は右のディスプレイ１４ｃに移動して表示され、第２の対象は中央のディスプレイ１４ａに移動して表示され、第３の対象は、左のディスプレイ１４ｂに全画面表示される。対象が右のディスプレイ１４ｃに表示されると、当該対象の表示は終了する。このようにして、複数の対象が全て表示されるまで、この動作が繰り返される。
【００３６】
対象が右のディスプレイ１４ｃに表示された後、当該対象が左のディスプレイ１４ｂに再び表示されてもよい。この場合、対象は、左のディスプレイ１４ｂ、中央のディスプレイ１４ａ、右のディスプレイ１４ｃの順に循環して表示される。この提示方法は、循環型レビューともいう。
【００３７】
図７は、第３の提示方法について説明する図である。
図７に示すように、第３の提示方法が選択された場合には、対象は、左右いずれかのディスプレイ１４ｂ，１４ｃに表示されてから、中央のディスプレイ１４ａに表示される。第３の提示方法は、集合型レビューともいう。
【００３８】
複数の対象が１つの情報選択ボタン１８０により指定される場合、例えば、対象は、表示順序が奇数である場合、左のディスプレイ１４ｂに最初に表示され、表示順序が偶数である場合、右のディスプレイ１４ｃに最初に表示される。より具体的には、まず、第１の対象は、左のディスプレイ１４ｂに全画面表示される。次に、所定の期間経過後、第２の対象は、右のディスプレイ１４ｃに全画面表示される。さらに所定の期間経過後、第１の対象は中央のディスプレイ１４ａに移動して表示され、第３の対象は左のディスプレイ１４ｂに全画面表示される。さらに所定の期間経過後、第２の対象は中央のディスプレイａに移動して表示され、第４の対象は右のディスプレイ１４ｃに全画面表示される。中央のディスプレイ１４ａでは、複数の対象が、互いに重ならないように、いわゆるタイリング表示されていく。
【００３９】
このようにして、ユーザは、文書のフラッシュレビュー（瞬時復習）を、短時間で効率よく行うことができる。このとき、多層ワーク支援装置１０がスピーカから音楽を流し、音楽のテンポやリズムと、表示対象の移動とを同期してもよい。これにより、ユーザは、より快適にフラッシュレビューを行うことができる。
【００４０】
次に、本発明に係る多層ワーク支援装置の表示方法を実現する表示プログラム２００について説明する。
図８は、多層ワーク支援装置１０の制御装置１００により実行される表示プログラム２００の構成を示す図である。
図８に示すように、表示プログラム２００は、ユーザインタフェース（ＵＩ）部２０２、通信部２０４、情報選択部２０６、提示方法選択部２０８、統合部２１０、表示制御部２１２、情報取得部２１４及び情報記憶部２１６を有する。表示プログラム２００は、これらの構成部分により、ディスプレイ１４ａ〜１４ｃに表示する対象を指定する情報選択ボタン１８０を介した入力を受け付け、受け付けられた入力により指定された表示対象をディスプレイ１４ａ〜１４ｃに順番に表示させる。
【００４１】
表示プログラム２００は、例えば、ネットワーク２、通信ＩＦ１０８などを介して処理装置１０２に供給され、メモリ１０６にロードされて、さらに処理装置１０２で動作するＯＳ上で、ハードウェアを具体的に利用して実行される。また、表示プログラム２００は、全ての制御装置１００ａ〜１００ｅにおいて実行されてもよいし、いずれかの制御装置１００において実行されてもよい。
【００４２】
表示プログラム２００において、ＵＩ部２０２は、情報アクセス装置１６及び入力装置２６に対するユーザの操作を受け入れ、後述する構成部分に対して出力する。ここで、ユーザの操作には、ボタン１８の押下（マウスによるクリックも含む）などが含まれる。また、ＵＩ部２０２は、後述する表示制御部２１２により作成された情報（画像データ等）及び各構成部分の処理内容などを、ディスプレイ１４及び情報アクセス装置１６に表示する。
【００４３】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００４４】
情報記憶部２１６は、図４に示される情報選択シート、提示方法選択シート、ファイル情報シート、時刻情報シート、並びに算出結果シート、情報選択ボタン１８０により示される対象の最新ファイル、及び文書作成ソフトウェアあるいは表計算ソフトウェアの電子ファイルなどを記憶する。情報記憶部２１６は、記憶装置１１０及びメモリ１０６により実現される。なお、提示方法選択シート、ファイル情報シート、時刻情報シート、及び算出結果シートについては、後で詳述する。
【００４５】
情報選択部２０６は、ユーザが情報選択ボタン１８０を押下して行う入力をＵＩ部２０２を介して受け付け、指定された対象の格納システム、ファイル名及び属性を、後述の情報取得部２１４を介して取得する。情報選択部２０６は、取得された情報を、後述の統合部２１０に対して出力する。
【００４６】
提示方法選択部２０８は、ユーザが提示方法選択ボタン１８２を押下して行う入力を、ＵＩ部２０２を介して受け付け、指定された提示方法に関する情報を、情報取得部２１４を介して取得する。当該情報は、ディスプレイ１４に表示するタイミング等であって、提示方法選択シートに含まれる。提示方法選択部２０８は、提示方法に関する情報を統合部２１０に対して出力する。
【００４７】
情報取得部２１４は、ユーザにより指定された対象を情報選択部２０６から受け付け、情報記憶部２１６に記憶されている情報選択シートを参照して、当該対象に関する格納システム及びファイル名を抽出する。情報取得部２１４は、抽出された格納システム等に基づいて、情報記憶部２１６に記憶されているファイル情報シートを参照し、当該対象に関するファイル属性を抽出する。情報取得部２１４は、抽出された格納システム、ファイル名及び属性を、情報選択部２０６に対して出力する。
【００４８】
また、情報取得部２１４は、ユーザにより指定された提示方法を提示方法選択部２０８から受け付け、情報記憶部２１６に記憶されている提示方法選択シートを参照して、当該提示方法に関する情報を抽出する。情報取得部２１４は、抽出された情報を、提示方法選択部２０８に対して出力する。
【００４９】
なお、情報取得部２１４は、ユーザにより指定された対象を情報選択部２０６から受け付けていない状態で、ユーザにより指定された提示方法を提示方法選択部２０８から受け付けた場合、予め決められている所定のフォルダを参照して、ユーザが所望する対象を抽出してもよい。このフォルダには、ユーザの所望するファイル等が、ユーザにより予め格納されている。このフォルダは、多層ワーク支援装置１０の記憶装置１１０に設けられてもよいし、ネットワーク２を介して接続された他の装置（例えばサーバ）に設けられてもよい。
【００５０】
当該ファイル等は、所定のフォルダに記憶されていなくても、表計算ソフトウェア等により、ＵＲＬ、ファイルまでのパス等として指定されてもよい。この場合、多層ワーク支援装置１０は、表計算ソフトウェアにより管理されているＵＲＬ等を読み込んで、ユーザが所望する対象を抽出してもよい。
【００５１】
さらに、情報取得部２１４は、表示プログラム２００が動作している制御装置１００の時刻情報を取得し、情報記憶部２１６に記憶されている時刻情報シートに格納する。情報取得部２１４は、取得された時刻情報を、情報選択部２０６に対して出力する。
【００５２】
統合部２１０は、情報選択部２０６から、対象の格納システム及びファイル名を受け付けて、多層ワーク支援装置１０に含まれる他の制御装置１００に対して出力する。統合部２１０は、これらのファイルに対応する属性、及び他の制御装置１００の時刻情報を、他の制御装置１００から受け付ける。
【００５３】
また、統合部２１０は、情報選択部２０６並びに他の制御装置１００から受け付けられた属性並びに時刻情報、提示方法選択部２０８から受け付けられた提示方法に関する情報、及び情報取得部２１４並びに他の制御装置１００から受け付けられた時刻情報を統合して、統合シートを作成する。統合部２１０は、作成された統合シートを表示制御部２１２に対して出力する。
【００５４】
表示制御部２１２は、統合部２１０から受け付けられた統合シートに基づいて、対象の提示順序並びに提示されるディスプレイ１４を算出し、算出結果シートを作成する。表示制御部２１２は、多層ワーク支援装置１０に含まれる制御装置１００に対して、作成された算出結果シートを送信し、ディスプレイ１４ａ〜１４ｃに対象を表示する。
【００５５】
図９は、提示方法選択ボタン１８２により選択される提示方法を規定する提示方法選択シートを例示する。
図９に例示するように、提示方法選択シートは、提示方法、名称、タイミングを含む。提示方法は、提示方法選択ボタン１８２が情報アクセス装置１６に表示される際に、表示される文字列である。提示方法は、ボタン群に含まれる提示方法選択ボタン１８２を一意に識別する識別子であってもよい。
【００５６】
名称は、提示方法を表す名称であり、例えば、第１の提示方法は、噴水型と呼ばれる。タイミングは、対象がいずれかのディスプレイ１４に表示されてから次のディスプレイ１４に移動して表示されるまでの時間である。例えば、第１の提示方法では、対象は、中央のディスプレイ１４ａに表示されてから１０秒経過後に、左右いずれかのディスプレイ１４ｂ，１４ｃに移動されて表示される。
表示プログラム２００の提示方法選択部２０８は、これらの情報を、情報取得部２１４を介して取得して、統合部２１０に対して出力する。
【００５７】
図１０は、情報選択ボタン１８０により選択される対象の属性を管理するファイル情報シートを例示する。
図１０に例示するように、ファイル情報シートには、提示情報、格納システム、ファイル名、格納先、作成日及び更新部が含まれる。ここで、提示情報、格納システム及びファイル名は、情報選択シートと同様の項目である。
【００５８】
格納先は、当該ボタンが押下されたときにディスプレイ１４に表示される対象が格納されている場所を示す。格納先は、多層ワーク支援装置１０の記憶装置１１０におけるパス、ＵＲＬ、ＩＰアドレスなどで表される。作成日は、当該対象が作成された日時である。更新日は、当該対象が更新された最新の日時である。なお、ファイル情報シートは、情報選択シートに含まれてもよい。
表示プログラム２００の情報取得部２１４は、情報選択シートに含まれる情報に基づいて、これらの属性を抽出して、情報選択部２０６に対して出力する。
【００５９】
図１１は、情報記憶部２１６により記憶され、情報取得部２１４により取得された時刻情報を管理する時刻情報シートを例示する図であって、図１１（Ａ）〜図（Ｃ）は、それぞれ制御装置１００ａ〜１００ｃにおいて記憶されている時刻情報シートを例示する。
図１１に例示するように、時刻情報シートには、時刻が取得されたシステムを示すシステム名、及び当該システムにおいて取得された時刻が含まれる。これらの時刻情報は、制御装置１００ａ〜１００ｃのそれぞれにおいて取得され、いずれかの制御装置１００において統合される。
【００６０】
図１２は、統合部２１０により作成される統合シートを例示する図である。
図１２（Ａ）及び図１２（Ｂ）に例示するように、統合シートは、２つのテーブルから構成され、情報選択シート、提示方法選択シート、ファイル情報シート及び時刻情報シートの項目を含む。なお、統合シートは、１つのテーブルから構成されてもよいし、２つより多くのテーブルから構成されてもよい。
これらの項目は、多層ワーク支援装置１０に含まれるそれぞれの制御装置１００から集められて、いずれかの制御装置１００において動作する表示プログラム２００の統合部２１０により作成される。なお、統合シートは、新規に作成されなくてもよく、他のシートに新たに項目を追加することにより作成されてもよい。
【００６１】
次に、それぞれの提示方法において表示制御部２１２により行われる表示タイミング算出処理、及びその処理により作成される算出結果シートについて説明する。
図１３は、第１の提示方法（噴水型）における表示タイミング算出処理（Ｓ１０）を示すフローチャートである。表示タイミング算出処理において、表示プログラム２００の表示制御部２１２は、それぞれのファイルが提示されるディスプレイ１４と、提示されるタイミングとを決定する。本例では、提示情報はｎ個の対象を含み、当該対象は制御装置１００の記憶装置１１０に記憶されている電子ファイルとする。
【００６２】
図１３に示すように、ステップ１００（Ｓ１００）において、表示制御部２１２は、統合部２１０から受け付けられた統合シートに基づいて、提示するファイルのファイル数ｎをカウントする。
ステップ１０２（Ｓ１０２）において、表示制御部２１２は、それぞれのファイルについて、ファイル名とファイル番号とを対応させて保持する。ファイル番号は、ディスプレイ１４に表示される順序を示す番号である。
【００６３】
ステップ１０４（Ｓ１０４）において、表示制御部２１２は、それぞれのファイルの２回目の表示場所を算出する。具体的には、表示制御部２１２は、それぞれのファイルが中央のディスプレイ１４ａに表示された後、左右のディスプレイ１４ｂ，１４ｃのいずれかに表示されるかを算出する。例えば、表示制御部２１２は、ファイル番号に対する２の剰余に基づいて、左右のディスプレイ１４ｂ，１４ｃへの振分けを決定する。即ち、表示制御部２１２は、ファイル番号が奇数である場合、ファイルが中央のディスプレイ１４ａに表示された後、左のディスプレイ１４ｂに表示されるように決定し、ファイル番号が偶数である場合、ファイルが中央のディスプレイ１４ａに表示された後、右のディスプレイ１４ｃに表示されるように決定する。
【００６４】
ステップ１０６（Ｓ１０６）において、ｉに１が代入される。ここで、ｉは、繰り返しを制御する変数である。以降、ファイル番号がｉであるファイルの表示タイミングが算出される。
ステップ１０８（Ｓ１０８）において、表示制御部２１２は、当該ファイルに関して、１回目の表示タイミングを算出する。つまり、表示制御部２１２は、当該ファイルが中央のディスプレイ１４ａに表示されるタイミングを算出する。表示されるタイミングを時刻Ｔとすると、時刻Ｔは、次式を用いて算出される。
【００６５】
Ｔ＝Ｔ０＋（ｉ−１）＊ｔ  ・・・（１）
【００６６】
ここで、Ｔ０は初期時刻であって、情報取得部２１４により取得された時刻に基づく時刻であり、ｔは、提示方法選択シートに含まれる項目「タイミング」に基づく時間であって、この提示方法において１つのディスプレイ１４に表示されている時間である。
【００６７】
ステップ１１０（Ｓ１１０）において、表示制御部２１２は、当該ファイルに関して、２回目の表示タイミングを算出する。つまり、表示制御部２１２は、当該ファイルが左右のディスプレイ１４ｂ，１４ｃに表示されるタイミングを算出する。表示されるタイミングは、次式を用いて算出される。
【００６８】
Ｔ＝Ｔ０＋ｉ＊ｔ  ・・・（２）
【００６９】
ステップ１１２（Ｓ１１２）において、ｉは１増加される。
ステップ１１４（Ｓ１１４）において、表示制御部２１２は、ｉはファイル数ｎより大きいか否かを判断し、ｉがファイル数ｎより大きい場合には処理を終了し、そうでない場合には、Ｓ１０８の処理に戻って次のファイルについて表示タイミングを算出する。
このようにして、表示制御部２１２は、指定された対象に関する全てのファイルについて、当該ファイルが表示されるディスプレイ１４及び表示タイミングを算出する。
【００７０】
図１４は、第１の提示方法において、表示制御部２１２により作成される算出結果シートを例示する図である。
図１４に例示するように、算出結果シートは、提示情報、格納場所、作成日、更新日、提示方法、提示間隔、提示場所、提示時刻を含む。なお、算出結果シートは、新規に作成されなくてもよく、他のシートに新たに項目を追加することにより作成されてもよい。提示場所は、１回目から２回目までの提示において表示されるディスプレイ１４ａ〜１４ｃを示す。提示時刻は、それぞれの提示における表示タイミングを示す時刻である。提示場所及び提示時刻は、図１３に示される表示タイミング算出処理において表示制御部２１２により算出された結果である。
【００７１】
図１５は、第２の提示方法（順送り型）における表示タイミング算出処理（Ｓ２０）を示すフローチャートである。なお、図１５に示された各処理のうち、図１３に示された処理と実質的に同一のものには同一の符号が付されている。
図１５に示すように、Ｓ１００〜Ｓ１０２の処理において、表示制御部２１２により、提示するファイル数ｎがカウントされて、ファイル名とファイル番号とが対応されて保持される。
【００７２】
ステップ２０４（Ｓ２０４）において、表示制御部２１２は、ファイルが表示されるディスプレイ１４及び順序を取得する。第２の提示方法では、提示順序は、左のディスプレイ１４ｂ、中央のディスプレイ１４ａ、右のディスプレイ１４ｃの順であるので、表示制御部２１２は、既に保持している情報を用いてもよい。
【００７３】
以降の処理で、表示制御部２１２は、ファイルの表示タイミングを算出する。Ｓ１０６の処理において、ｉに１が代入される。
ステップ２０８（Ｓ２０８）において、表示制御部２１２は、当該ファイルに関して、表示タイミングを算出する。表示されるタイミングを時刻Ｔとすると、時刻Ｔは、次式を用いて算出される。
【００７４】
Ｔ＝Ｔ０＋（ｍ−１）＊ｉ＊ｔ  ・・・（３）
【００７５】
ここで、ｍは表示回数であって、本例では、１から３までの値である。
その後、Ｓ１１２の処理において、ｉは１増加され、Ｓ１１４の処理において、全てのファイルについて表示タイミングが算出されたか否かが判断される。
【００７６】
図１６は、第２の提示方法において、表示制御部２１２により作成される算出結果シートを例示する図である。
図１６に例示するように、第２の提示方法は、ファイルが３つのディスプレイ１４ａ〜１４ｃに順に表示される方法であるので、提示場所は、１回目から３回目まで記載されている。また、提示間隔が５秒であるので、提示時刻は、当該提示間隔に基づいて算出されている。
【００７７】
図１７は、第３の提示方法（集合型）における表示タイミング算出処理（Ｓ３０）を示すフローチャートである。なお、図１７に示された各処理のうち、図１３に示された処理と実質的に同一のものには同一の符号が付されている。
図１７に示すように、Ｓ１００〜Ｓ１０２の処理において、表示制御部２１２により、提示するファイル数ｎがカウントされて、ファイル名とファイル番号とが対応されて保持される。
【００７８】
ステップ３０４（Ｓ３０４）において、表示制御部２１２は、それぞれのファイルの１回目の表示場所を算出する。具体的には、表示制御部２１２は、それぞれのファイルが左右のディスプレイ１４ｂ，１４ｃのいずれかに表示されるかを算出する。例えば、表示制御部２１２は、ファイル番号に対する２の剰余に基づいて、左右のディスプレイ１４ｂ，１４ｃへの振分けを決定する。即ち、表示制御部２１２は、ファイル番号が奇数である場合、ファイルが左のディスプレイ１４ｂに表示された後、中央のディスプレイ１４ａに表示されるように決定し、ファイル番号が偶数である場合、ファイルが右のディスプレイ１４ｃに表示された後、中央のディスプレイ１４ａに表示されるように決定する。
【００７９】
以降、Ｓ１０６からＳ１１４までの処理で、表示制御部２１２は、それぞれのファイルについて、当該ファイルが表示されるタイミングを算出する。
このようにして、表示制御部２１２は、指定された対象に関する全てのファイルについて、当該ファイルが表示されるディスプレイ１４及び表示タイミングを算出する。
【００８０】
図１８は、第３の提示方法において、表示制御部２１２により作成される算出結果シートを例示する図である。
図１８に例示するように、第２の提示方法は、それぞれのファイルを左右いずれかのディスプレイ１４ｂ，１４ｃに表示してから、中央のディスプレイ１４ａに移動させて表示する。また、提示間隔が１秒であるので、提示時刻は、当該提示間隔に基づいて算出されている。
【００８１】
図１９は、多層ワーク支援装置１０における全体動作（Ｓ４０）を示すフローチャートである。本例では、制御装置１００ａが、ディスプレイ１４ａに加えて、情報アクセス装置１６ａ，１６ｂを制御し、制御装置１００ｂがディスプレイ１４ｂを制御し、制御装置１００ｃがディスプレイ１４ｃを制御している。また、表示プログラム２００は、それぞれの制御装置１００ａ〜１００ｃ上で動作している。
【００８２】
図１９に示すように、ステップ４００（Ｓ４００）において、ユーザが、情報アクセス装置１６ａ，１６ｂの情報選択ボタン１８０を押下すると、制御装置１００ａ上で動作する表示プログラム２００は、情報アクセス装置１６ａ，１６ｂから、押下された情報選択ボタン１８０が指定する対象を受け付ける。表示プログラム２００の情報選択部２０６は、ＵＩ部２０２を介して入力を受け付けて、情報記憶部２１６に記憶されている情報選択シート（図４）を参照し、情報取得部２１４を介して、指定された対象に関するファイル情報を取得する。情報選択部２０６は、取得された情報を統合部２１０に対して出力する。
【００８３】
なお、所望の対象が既にディスプレイ１４に表示されている場合、ユーザは、情報選択ボタン１８０を押下することなく、所望の対象のウインドウを指定（マウスによるクリック、タッチパネルによるタッチ等）してもよい。この場合、表示プログラム２００は、押下された情報選択ボタン１８０が指定する対象を受け付けなくてもよく、以降の処理を継続する。
【００８４】
ステップ４０２（Ｓ４０２）において、ユーザは、情報アクセス装置１６ａ，１６ｂの提示方法選択ボタン１８２を押下すると、表示プログラム２００の提示方法選択部２０８は、ＵＩ部２０２を介して入力を受け付けて、情報記憶部２１６に記憶されている提示方法選択シート（図９）を参照し、情報取得部２１４を介して、ディスプレイ１４に表示するタイミング等、指定された提示方法に関する情報を取得する。提示方法選択部２０８は、取得された情報を統合部２１０に対して出力する。
【００８５】
なお、多層ワーク支援装置１０においては、Ｓ４００及びＳ４０２のいずれの処理が先に行われてもよい。また、提示方法の選択は、予めなされていてもよく、提示方法選択部２０８は、予め入力されている提示方法を保持していてもよい。
また、多層ワーク支援装置１０は、情報選択ボタン１８０を介した対象の指定を受け付けるだけでなく、所定のフォルダに含まれているファイル等を対象としてもよい。この場合、多層ワーク支援装置１０において、表示プログラム２００の提示方法選択部２０８が提示方法を受け付けると、情報取得部２１４は、このフォルダに含まれているファイル等を参照して、このファイル等を、Ｓ４００の処理でユーザにより指定された対象と同様に扱う。
【００８６】
ステップ４０４（Ｓ４０４）において、統合部２１０は、情報選択部２０６から受け付けられた格納システム及びファイル名に基づいて、多層ワーク支援装置１０に含まれる他の制御装置１００ｂ，１００ｃに対して、選択されたファイル情報を送信する。制御装置１００ｂ，１００ｃのそれぞれでは、情報選択部２０６が、通信部２０４を介して、送信されたファイル情報を受信する。
【００８７】
ステップ４０６（Ｓ４０６）において、制御装置１００ａ〜１００ｃのそれぞれで、情報選択部２０６は、ファイル情報に基づいて、情報取得部２１４を介して、情報記憶部２１６に記憶されているファイル情報シート（図１０）を参照し、当該対象に関するファイル属性を抽出する。
ステップ４０８（Ｓ４０８）において、制御装置１００ａ〜１００ｃのそれぞれで、情報取得部２１４は、制御装置１００ａ〜１００ｃそれぞれの時刻情報を取得して、情報記憶部２１６に記憶されている時刻情報シート（図１１）に格納し、時刻情報を情報選択部２０６に対して出力する。
【００８８】
ステップ４１０（Ｓ４１０）において、制御装置１００ｂ，１００ｃのそれぞれで、情報選択部２０６は、取得されたファイル属性及び時刻情報を、通信部２０４を介して制御装置１００ａに対して送信する。制御装置１００ａでは、統合部２１０が、通信部２０４を介して、送信されたファイル属性等を受信する。
【００８９】
ステップ４１２（Ｓ４１２）において、制御装置１００ａで、統合部２１０は、制御装置１００ａ〜１００ｃ上で取得されたファイル属性、時刻情報、及び提示方法に関する情報を統合し、統合シート（図１２）を作成して、情報記憶部２１６に記憶する。また、統合部２１０は、この統合シートを表示制御部２１２に対して出力する。
【００９０】
表示制御部２１２は、統合シートを受け付けると、この統合シートに基づいて、表示タイミング算出処理を行い、算出結果シートを作成する（図１３〜図１８；Ｓ１０〜Ｓ３０）。
ステップ４１４（Ｓ４１４）において、表示制御部２１２は、多層ワーク支援装置１０に含まれる他の制御装置１００ｂ，１００ｃに対して、作成された算出結果シートを送信する。制御装置１００ｂ，１００ｃのそれぞれでは、表示制御部２１２が、通信部２０４を介して、送信された算出結果シートを受信する。
【００９１】
ステップ４１６（Ｓ４１６）において、制御装置１００ａ〜１００ｃそれぞれで、表示制御部２１２は、算出結果シートに基づいて、ディスプレイ１４ａ〜１４ｃに、所定のタイミングでそれぞれのファイルを表示する（図５〜図７）。
このようにして、表示対象は、ユーザにより指定された提示方法で、ディスプレイ１４ａ〜１４ｃに順番に表示される。
【００９２】
以上説明したように、本発明に係る多層ワーク支援装置１０は、少なくとも３つのディスプレイ１４と、ディスプレイ１４に表示する対象を指定する情報選択ボタン１８０と、情報選択ボタン１８０が押下された場合、ディスプレイ１４に表示対象を順番に表示させる表示制御手段とを有する。特に、多層ワーク支援装置１０は、表示対象をディスプレイ１４に所定時間表示させてから、当該表示対象を当該ディスプレイ１４とは異なるディスプレイ１４に表示させる。
これにより、ユーザは、複数の文書を短時間で効率よく確認することができる。このため、ユーザは、文書のフラッシュレビューを短時間で効率よく行うことができる。
【００９３】
また、多層ワーク支援装置１０は、記憶装置１１０に保存されているドキュメントの更新日時を所定の契機で読み込み、所定のフォルダに当該ドキュメントのショートカットあるいはファイル実体を保存してもよい。ここで、当該フォルダは、ユーザにより指定された時刻範囲毎に複数設けられており、例えば、時刻範囲を「昨日の午前」、「昨日の午後」、「一昨日」あるいは「先月」とするフォルダが設けられている。この場合、多層ワーク支援装置１０は、情報アクセス装置１６ａ，１６ｂにこれらのフォルダを対象として指定する情報選択ボタン１８０を表示し、これらの情報選択ボタン１８０がユーザにより押下されると、押下された情報選択ボタン１８０により指定されたフォルダ内の、所定の時刻範囲に含まれるファイル等のフラッシュレビューを行う。これにより、ユーザは、所望する時刻範囲に含まれるドキュメントのフラッシュレビューを簡易な操作で行うことができる。なお、情報選択ボタン１８０に表示される文字列は、当該情報選択ボタン１８０により指定されるフォルダに対応する時刻範囲（例えば「先月」）であってよい。
【００９４】
次に、本発明の第２の実施形態に係る多層ワーク支援装置１０を説明する。
図２０は、本実施形態に係る多層ワーク支援装置１０で動作する表示プログラム３００を示す図である。
図２０に例示するように、本実施形態に係る多層ワーク支援装置１０は、生体情報取得装置２８をさらに有し、表示プログラム３００は、生体情報取得部３０２及び操作情報取得部３０４をさらに有する点で、第１の実施形態に係る多層ワーク支援装置１０とは異なる。本実施形態においては、多層ワーク支援装置１０は、生体情報取得装置２８により検出された生体情報に基づいて、表示対象を表示するタイミング及びディスプレイ１４を制御する。なお、図２０に示された各構成のうち、図８に示された構成と実質的に同一のものには同一の符号が付されている。
【００９５】
生体情報取得装置２８は、ユーザ（生体）の情報、例えば、呼吸、心拍、脈拍、及び瞬き、瞳孔径、注視対象並びに注視時間など眼球に係る情報を取得する装置であって、装置本体１２に設けられている。生体情報取得装置２８は、デスクワーク中のユーザから任意のタイミングでこれらの情報を取得し、表示プログラム３００に対して出力する。ここで、生体情報取得装置２８は、生体情報検出手段を構成する。
【００９６】
表示プログラム３００において、生体情報取得部３０２は、生体情報取得装置２８から入力された生体情報を、ＵＩ部２０２を介して受け付けて、後述する生体情報シートを作成する。生体情報取得部３０２は、作成された生体情報シートを統合部２１０に対して出力する。
【００９７】
操作情報取得部３０４は、ユーザによる情報アクセス装置１６及び入力装置２６の少なくともいずれかの操作情報をＵＩ部２０２を介して受け付けて、操作履歴を記憶する。操作情報取得部３０４は、操作履歴等の操作情報に基づいて、後述する操作情報シートを作成して、統合部２１０に対して出力する。
【００９８】
本実施形態において、統合部２１０は、生体情報シート及び操作情報シートにさらに基づいて統合シートを作成し、作成された統合シートを表示制御部２１２に対して出力する。
表示制御部２１２は、検出された生体情報に基づいて、表示対象を表示するタイミングを制御する。より具体的には、表示制御部２１２は、生体情報及び操作情報を含む統合シートに基づいて、対象が表示されるディスプレイ１４及び表示タイミングを算出し、算出結果シートを作成する。例えば、表示制御部２１２は、ユーザ固有のリズム（周期）を算出し、算出結果を表示タイミング等に反映させる。ここで、周期は、生体情報及び操作情報の少なくともいずれかの平均値であってもよいし、それぞれの情報に対して重みが与えられている場合には、重みの最も大きい情報の周期であってもよい。
【００９９】
図２１は、生体情報取得部３０２により作成される生体情報シートを例示する図である。
図２１に例示するように、生体情報シートは、時刻ｔ、呼吸、瞳孔径ｘ、瞳孔径ｙ、注視時間及び瞬目を含む。生体情報シートにおいて、それぞれの行は、これらの項目が時刻ｔに取得されたことを示す。生体情報は、所定の時刻に取得されてもよいし、所定の時間間隔で取得されてもよい。また、生体情報は、いずれかの項目が予め定められた所定値を上回ったり下回ったりしたタイミングで取得されてもよい。なお、生体情報シートは、これらの項目だけではなく、他の項目を含んでもよい。
【０１００】
図２２は、操作情報取得部３０４により作成される操作情報シートを例示する図である。
図２２に例示するように、操作情報シートは、時刻ｔ、キーボード入力量、マウス移動量を含む。操作情報シートにおいて、それぞれの行は、これらの操作量が時刻ｔに取得されたことを示す。操作情報は、所定の時間間隔で取得されてもよいし、入力された全ての操作が含まれるように取得されてもよい。なお、操作情報シートは、これらの項目だけではなく、他の項目を含んでもよい。
【０１０１】
図２３は、本実施形態において統合部２１０により作成される統合シートを例示する図である。
図２３に例示するように、統合シートは、生体情報シート及び操作情報シートの項目を含む。また、本実施形態における統合シートは、図１２に示される統合シートに含まれる項目を含んでもよい。
【０１０２】
図２４は、本実施形態において、表示制御部２１２により作成される算出結果シートを例示する図である。
図２４に例示するように、算出結果シートは、生体情報及び操作情報を含む統合シートに基づいて、表示制御部２１２により作成される。
【０１０３】
図２５は、本発明の第２の実施形態に係る多層ワーク支援装置１０における全体動作（Ｓ５０）を示すフローチャートである。なお、図２５に示された各処理のうち、図１９に示された処理（Ｓ４０）と実質的に同一の処理には同一の符号が付されている。
図２５に示すように、Ｓ４００〜Ｓ４０８の処理で、多層ワーク支援装置１０は、ユーザからの情報選択ボタン１８０及び提示方法選択ボタン１８２を介した入力を受け付けて、それぞれの制御装置１００ａ〜１００ｃでファイル属性を取得する。
【０１０４】
ステップ５００（Ｓ５００）において、表示プログラム３００の生体情報取得部３０２は、生体情報取得装置２８を介してユーザに関する情報（生体情報）を取得し、生体情報シートを作成して、統合部２１０に対して出力する。また、操作情報取得部３０４は、ユーザの操作情報を取得し、操作情報シートを作成して、統合部２１０に対して出力する。
【０１０５】
Ｓ４１２〜Ｓ４１６の処理で、統合部２１０は、作成された生体情報シート及び操作情報シートをさらに統合して統合シートを作成し、表示制御部２１２は、この統合シートに基づいて表示タイミング等を算出する。算出された算出結果シートは、他の制御装置１００ｂ，１００ｃに対して送信され、それぞれの制御装置１００ａ〜１００ｃでは、算出結果シートに基づいて、それぞれのファイルがディスプレイ１４に表示される。
【０１０６】
さらに、本実施形態においては、Ｓ４１６の提示処理後において、Ｓ５００以降の処理が実行される。より具体的には、ユーザが、ディスプレイ１４に提示された情報を認識することにより、ユーザの生体情報並びに操作情報が変化される場合があるので、多層ワーク支援装置１０は、このようなユーザの変化を、次のタイミング算出処理に反映させる。したがって、多層ワーク支援装置１０は、Ｓ５００〜Ｓ４１６の処理を繰り返し実行し、変化されうる生体情報等を提示処理に随時反映させる。
【０１０７】
以上説明したように、本発明の本実施形態に係る多層ワーク支援装置１０は、生体情報を検出する生体情報取得部３０２をさらに有し、生体情報取得部３０２により検出された生体情報に基づいて、表示対象を表示するタイミングを制御する。
これにより、多層ワーク支援装置１０は、ユーザのテンポやリズムに合わせて表示方法を制御するので、ユーザは、さらに快適に効率よく、複数の文書を確認することができる。
【０１０８】
なお、上記実施例では、生体情報がユーザ情報として用いられているが、本発明は、本実施例に限定されない。例えば、多層ワーク支援装置１０は、ユーザそれぞれの好みの音楽ＣＤを記憶し、ユーザが好んでよく聞く音楽ＣＤ等を用いて、ユーザ固有のリズムを算出してもよい。また、多層ワーク支援装置１０は、生体情報と併用して、ユーザがお気に入りの音楽ＣＤを聴いている際の生体情報を用いてもよい。
【図面の簡単な説明】
【０１０９】
【図１】本発明の実施形態に係る多層ワーク支援装置１０を示す図である。
【図２】多層ワーク支援装置１０において用いられるコンピュータのハードウェア構成を示す図である。
【図３】情報アクセス装置１６に表示されるボタン群を例示する図である。
【図４】情報選択ボタン１８０それぞれにより指定される対象を管理する情報選択シートを例示する。
【図５】第１の提示方法について説明する図である。
【図６】第２の提示方法について説明する図である。
【図７】第３の提示方法について説明する図である。
【図８】多層ワーク支援装置１０の制御装置１００により実行される表示プログラム２００の構成を示す図である。
【図９】提示方法選択ボタン１８２により選択される提示方法を規定する提示方法選択シートを例示する。
【図１０】情報選択ボタン１８０により選択される対象の属性を管理するファイル情報シートを例示する。
【図１１】情報記憶部２１６により記憶され、情報取得部２１４により取得された時刻情報を管理する時刻情報シートを例示する。
【図１２】統合部２１０により作成される統合シートを例示する図である。
【図１３】第１の提示方法（噴水型）における表示タイミング算出処理（Ｓ１０）を示すフローチャートである。
【図１４】第１の提示方法において、表示制御部２１２により作成される算出結果シートを例示する図である。
【図１５】第２の提示方法（順送り型）における表示タイミング算出処理（Ｓ２０）を示すフローチャートである。
【図１６】、第２の提示方法において、表示制御部２１２により作成される算出結果シートを例示する図である。
【図１７】第３の提示方法（集合型）における表示タイミング算出処理（Ｓ３０）を示すフローチャートである。
【図１８】第３の提示方法において、表示制御部２１２により作成される算出結果シートを例示する図である。
【図１９】多層ワーク支援装置１０における全体動作（Ｓ４０）を示すフローチャートである。
【図２０】本発明の第２の実施形態に係る多層ワーク支援装置１０で動作する表示プログラム３００を示す図である。
【図２１】生体情報取得部３０２により作成される生体情報シートを例示する図である。
【図２２】操作情報取得部３０４により作成される操作情報シートを例示する図である。
【図２３】第２の実施形態において、統合部２１０により作成される統合シートを例示する図である。
【図２４】第２の実施形態において、表示制御部２１２により作成される算出結果シートを例示する図である。
【図２５】本発明の第２の実施形態に係る多層ワーク支援装置１０における全体動作（Ｓ５０）を示すフローチャートである。
【符号の説明】
【０１１０】
２ ネットワーク
１０ 多層ワーク支援装置
１２ 装置本体
１４ ディスプレイ
１６ 情報アクセス装置
１８ ボタン
２６ 入力装置
２８ 生体情報取得装置
１００ 制御装置
１０２ 処理装置
１０４  ＣＰＵ
１０６ メモリ
１１０ 記憶装置
１１２ 中継装置
１８０ 情報選択ボタン
１８２ 提示方法選択ボタン
２００ 表示プログラム
２０２ ＵＩ部
２０４ 通信部
２０６ 情報選択部
２０８ 提示方法選択部
２１０ 統合部
２１２ 表示制御部
２１４ 情報取得部
２１６ 情報記憶部
３００ 表示プログラム
３０２ 生体情報取得部
３０４ 操作情報取得部
【図１】
2007148508.tif 000003
【図２】
2007148508.tif 000004
【図３】
2007148508.tif 000005
【図４】
2007148508.tif 000006
【図５】
2007148508.tif 000007
【図６】
2007148508.tif 000008
【図７】
2007148508.tif 000009
【図８】
2007148508.tif 000010
【図９】
2007148508.tif 000011
【図１０】
2007148508.tif 000012
【図１１】
2007148508.tif 000013
【図１２】
2007148508.tif 000014
【図１３】
2007148508.tif 000015
【図１４】
2007148508.tif 000016
【図１５】
2007148508.tif 000017
【図１６】
2007148508.tif 000018
【図１７】
2007148508.tif 000019
【図１８】
2007148508.tif 000020
【図１９】
2007148508.tif 000021
【図２０】
2007148508.tif 000022
【図２１】
2007148508.tif 000023
【図２２】
2007148508.tif 000024
【図２３】
2007148508.tif 000025
【図２４】
2007148508.tif 000026
【図２５】
2007148508.tif 000027